(57)【特許請求の範囲】
【請求項１】
コンテンツ信号と、該コンテンツ信号をトラック単位で管理する情報と該コンテンツ信号をトラック単位でグループ化するための情報を有する付加情報を記録した記録媒体を用いて、信号の記録再生を行う記録再生手段と、
前記記録再生手段の動作を制御する制御手段と、
前記制御手段の動作を設定するための動作設定手段とを有し、
前記制御手段では、前記動作設定手段によって所定の動作設定がなされたとき、前記記録媒体から読み出した前記付加情報に基づき、トラック数が一つであるグループを複数検出した場合、前記付加情報に対してこれらのトラックを、検出された複数グループのうち１グループを集合用グループとしてそこに移動する変更を行い、この結果トラック数が０となったグループの情報を削除し、前記集合用グループに移動する変更を行った後に、グループ化されていないトラックを検出した場合、前記付加情報に対してこのトラックを前記集合用グループに移動する変更を行い、前記記録再生手段を制御して、前記変更後の付加情報を前記記録媒体に書き戻す
ことを特徴とする信号記録再生装置。
【請求項２】
前記集合用グループは、前記検出された複数グループのうちの最初のグループである
ことを特徴とする請求項１記載の信号記録再生装置。
【発明の詳細な説明】
【０００１】
【発明の属する技術分野】
この発明は信号記録再生装置に関する。詳しくは、記録媒体から読み出した付加情報に基づき、トラック数が一つであるグループを複数検出した場合、付加情報に対してこれらのトラックを、検出された複数グループのうち１グループを集合用グループとしてそこに移動する変更を行い、この結果トラック数が０となったグループの情報を削除し、集合用グループに移動する変更を行った後に、グループ化されていないトラックを検出した場合、このトラックを集合用グループに移動する変更を行って、この変更後の付加情報を記録媒体に書き戻すものである。
【０００２】
【従来の技術】
従来の信号記録再生装置では、記録媒体に楽曲等のオーディオコンテンツのコンテンツ信号を記録するだけでなく、記録媒体から所望のコンテンツ信号を容易に再生するための情報を生成して記録媒体に記録することが行われている。例えばランダムアクセスが可能な記録媒体であるミニディスクを用いたミニディスク装置では、ミニディスクに楽曲等のコンテンツ信号をトラック（曲番）単位で記録できるだけでなく、この記録されたコンテンツ信号に関する情報も記録することが出来るようになされている。
【０００３】
この情報は、記録媒体のタイトルや記録された楽曲の曲名、トラック毎の信号記録位置等を示しており、例えば所望の曲名のトラック番号を指定することで、このトラック番号に関係付けられた記録位置からコンテンツ信号が読み出されて、所望の曲名の楽曲を簡単に再生することができる。
【０００４】
また、記録媒体や信号記録再生装置では、高密度記録や記録する信号の高圧縮化等がはかられて、１つの記録媒体に多くのコンテンツ信号を記録することが出来るようになされている。例えば上述のミニディスク装置では、記録する信号の圧縮率を高めて多くの楽曲を記録できる「ＭＤＬＰ」規格に対応した装置が実用化されている。
【０００５】
ここで、１つの記録媒体に多くの楽曲を記録したときには、記録した楽曲に関する情報で示される曲名やトラック番号も多くなり、所望の楽曲を容易に選択することができなくなってしまう。このため、記録された楽曲をグループ化して管理するものとして、例えば指定したグループ内でコンテンツ信号の再生動作等を行うことで、多くの楽曲が記録されても、容易に所望の楽曲を再生することが出来るようになされている。
【０００６】
【発明が解決しようとする課題】
ところで、コンパクトディスクに記録された楽曲をミニディスクにダビングする場合、例えばコンパクトディスクが装着されてからコンパクトディスクの交換に関連した操作が行われるまでの期間中にダビングされた楽曲を、自動的に１グループとする動作モードを設けて、この動作モードでダビング処理を行うと、楽曲のダビング毎にグループを指定する操作が不要となり、操作を簡単とすることができる。しかし、コンパクトディスクを順次交換しながら、コンパクトディスクに記録されている楽曲の１曲だけをダビングしたときには、ダビングされた楽曲がそれぞれ１つのグループとされてしまう。このため、グループ化が行われてもグループ内の曲数が１つとなってしまうと、グループ機能を有効に活用することができない。また、このような動作モードを使用しないときには、ダビングされた楽曲がグループ化されないので、グループ機能を利用することができない。
そこで、この発明では、記録されたコンテンツ信号のグループ化を有効に機能させることができる信号記録再生装置を提供するものである。
【０００７】
【課題を解決するための手段】
この発明に係る信号記録再生装置は、コンテンツ信号と、該コンテンツ信号をトラック単位で管理する情報と該コンテンツ信号をトラック単位でグループ化するための情報を有する付加情報を記録した記録媒体を用いて、信号の記録再生を行う記録再生手段と、記録再生手段の動作を制御する制御手段と、制御手段の動作を設定するための動作設定手段とを有し、制御手段では、動作設定手段によって所定の動作設定がなされたとき、記録媒体から読み出した付加情報に基づき、トラック数が一つであるグループを複数検出した場合、付加情報に対してこれらのトラックを、検出された複数グループのうち１グループを集合用グループとしてそこに移動する変更を行い、この結果トラック数が０となったグループの情報を削除し、集合用グループに移動する変更を行った後に、グループ化されていないトラックを検出した場合、付加情報に対してこのトラックを集合用グループに移動する変更を行い、記録再生手段を制御して、変更後の付加情報を記録媒体に書き戻すものである。
【０００８】
この発明においては、コンテンツ信号である楽曲等の信号が記録されるとともに、この記録された楽曲等の信号をトラック単位で管理する情報やトラック単位でグループ化するための情報を有する付加情報が記録された例えばミニディスクを用いるとき、再グループ化操作が行われた場合には、ミニディスクのユーザＴＯＣ領域から読み出した付加情報に基づき、トラック数が一つであるグループ、あるいはトラック数が一つであるグループとグループ化されていないトラックが設けられているか否かが検出される。ここで、トラック数が一つであるグループが複数検出された場合には、付加情報に対してこれらのトラックを、検出された複数グループのうち例えば最初のグループを集合用グループとしてそこに移動する変更を行い、この結果トラック数が０となったグループの情報を削除し、集合用グループに移動する変更後にグループ化されていないトラックを検出した場合、このトラックを集合用グループに移動する変更を行い、変更後の付加情報がユーザＴＯＣ領域に書き戻される。
【０００９】
【発明の実施の形態】
次に、本発明の実施の一形態について、図を参照して詳細に説明する。図１はステレオ装置の構成を示しており、コンパクトディスクブロック２０によって信号再生媒体であるコンパクトディスクに記録されている信号の再生を行うとともに、ミニディスクブロック４０によって、記録媒体であるミニディスクにコンパクトディスクを再生して得られた信号を記録する。またステレオ装置では、チューナ部８１やテープデッキ部８２、信号入出力部８３及びシステム制御部９０等を有している。
【００１０】
コンパクトディスクブロック２０には、複数のコンパクトディスク１００を設けることが可能とされており、記録されている信号の再生を行うコンパクトディスク１００はスピンドルモータ部２１によって回転駆動される。また回転駆動されるコンパクトディスク１００のレーザ光照射面側に光ピックアップ部２３が配される。
【００１１】
光ピックアップ部２３では、所定パワーのレーザ光をコンパクトディスク１００に照射するとともに、コンパクトディスク１００からの反射光に基づき読出信号ＲＳcを生成してＲＦアンプ部２４に供給する。ＲＦアンプ部２４では、光ピックアップ部２３から供給された読出信号ＲＳcからディジタルの読出データ信号ＲＥcを生成して信号処理部３０に供給する。また、ＲＦアンプ部２４では、読出信号ＲＳcに基づいてフォーカス誤差信号ＦＥcやトラッキング誤差信号ＴＥcを生成して、サーボ制御部２５に供給する。
【００１２】
サーボ制御部２５では、ＲＦアンプ部２４から供給されたフォーカス誤差信号ＦＥcやトラッキング誤差信号ＴＥcに基づき、光ピックアップ部２３の対物レンズ（図示せず）の位置を調整するためのフォーカス制御信号ＦＣcやトラッキング制御信号ＴＣcを生成して、ドライバ２６に供給する。
【００１３】
ドライバ２６では、フォーカス制御信号ＦＣcに基づいてフォーカス駆動信号ＦＤcを生成するとともに、トラッキング制御信号ＴＣcに基づいてトラッキング駆動信号ＴＤcを生成する。このフォーカス駆動信号ＦＤc及びトラッキング駆動信号ＴＤcを、光ピックアップ部２３のアクチュエータ（図示せず）に供給して対物レンズの位置を調整することにより、レーザ光がコンパクトディスク１００のレーザ光照射面側の所望位置で焦点を結ぶように制御される。
【００１４】
また、サーボ制御部２５では、スレッド信号ＳSLcを生成してスレッドモータ部２７に供給し、レーザ光の照射位置がトラッキング制御範囲を超えないように、このスレッドモータ部２７によって光ピックアップ部２３をコンパクトディスク１００の径方向に移動させる。
【００１５】
信号処理部３０では、ＲＦアンプ部２４から供給された読出データ信号ＲＥcに対して、ＥＦＭ(Eight to Fourteen Modulation)のデコード処理や、ＣＩＲＣ(Cross Interleaved Reed Solomon Code)のデコード処理を行う。このデコード処理を行って得られた再生データ信号ＤＲcは、信号選択／変換処理部８０に供給される。また、再生データ信号ＤＲcはＤ／Ａ変換部３１によってアナログの音声出力信号ＳＡcに変換されて信号選択／変換処理部８０に供給される。
【００１６】
さらに、信号処理部３０では、読出データ信号ＲＥcから検出したフレーム同期信号に基づき、コンパクトディスク１００の回転速度が所望の速度となるようにディスク駆動信号ＳSPcを生成してスピンドルモータ部２１に供給することにより、コンパクトディスク１００を所定の回転速度で回転させる。また、読出データ信号ＲＥcに基づいて得られたＴＯＣ情報やサブコード情報等を情報信号ＪＴcとして動作制御手段を構成するＣＤ制御部３５に供給する。なお、動作制御手段はＣＤ制御部３５や後述するミニディスク制御部６０及びシステム制御部９０で構成される。
【００１７】
ディスク切換部３３では、ＣＤ制御部３５からのディスク切換信号ＣＨに基づき、信号の再生が行われるコンパクトディスク１００の切り換え処理を行う。
ＣＤ制御部３５はマイクロコンピュータを用いて構成されており、このＣＤ制御部３５には、後述するシステム制御部９０からのコンパクトディスク再生制御信号ＭＣcや情報信号ＪＴcに基づき制御信号ＣＴcを生成して、この制御信号ＣＴcによってサーボ制御部２５や信号処理部３０等の動作を制御する。また、コンパクトディスク再生制御信号ＭＣcや情報信号ＪＴcに基づき、ディスク切換信号ＣＨを生成してディスク切換部３３に供給し再生するコンパクトディスクの切り換えを行う。さらにＣＤ制御部３５では、情報信号ＪＴcに基づいてコンパクトディスク１００に記録されている楽曲数や再生時間等を示す情報信号ＫＤcを生成してシステム制御部９０に供給する。なお、情報信号ＪＴcをシステム制御部９０に供給するものとしても良いことは勿論である。
【００１８】
ミニディスクブロック４０に装着されたミニディスク２００はスピンドルモータ部４１によって回転駆動され、ミニディスク２００の一つの面（図においては上面）側に信号記録再生手段を構成する記録用の磁気ヘッド部４２が配され、下面側であるレーザ光照射面側に光ピックアップ部４３が配されて、記録する信号に基づいて変調された磁界が磁気ヘッド部４２によって加えられる位置にレーザ光を照射できるようになされている。なお、信号記録再生手段は、磁気ヘッド部４２や光ピックアップ部４３、後述するＲＦアンプ部４４やサーボ制御部４５、ドライバ４６、信号処理部５０、記録アンプ５８等で構成されている。
【００１９】
光ピックアップ部４３では、後述するサーボ制御部４５からのレーザ制御信号ＣＰに基づいて所定パワーのレーザ光をミニディスク２００に照射するとともに、ミニディスク２００からの反射光に基づき読出信号ＲＳmを生成してＲＦアンプ部４４に供給する。ＲＦアンプ部４４では、光ピックアップ部４３から供給された読出信号ＲＳmからディジタルの読出データ信号ＲＥmを生成して信号処理部５０に供給する。また、ＲＦアンプ部４４では、読出信号ＲＳmに基づいてフォーカス誤差信号ＦＥmやトラッキング誤差信号ＴＥmを生成して、サーボ制御部４５に供給する。さらに、ミニディスク２００に予め形成されているプリグルーブのウォーブルを読み取った信号であるウォーブル信号ＲＢを生成してデコーダ部４８に供給する。
【００２０】
サーボ制御部４５では、ＲＦアンプ部４４から供給されたフォーカス誤差信号ＦＥmやトラッキング誤差信号ＴＥmに基づき、光ピックアップ部４３の対物レンズ（図示せず）の位置を調整するためのフォーカス制御信号ＦＣmやトラッキング制御信号ＴＣmを生成して、ドライバ４６に供給する。
【００２１】
ドライバ４６では、フォーカス制御信号ＦＣmに基づいてフォーカス駆動信号ＦＤmを生成するとともに、トラッキング制御信号ＴＣmに基づいてトラッキング駆動信号ＴＤmを生成する。このフォーカス駆動信号ＦＤm及びトラッキング駆動信号ＴＤmを、光ピックアップ部４３のアクチュエータ（図示せず）に供給して対物レンズの位置を調整することにより、レーザ光がミニディスク２００のレーザ光照射面側の所望位置で焦点を結ぶように制御される。
【００２２】
また、サーボ制御部４５では、スレッド信号ＳSLmを生成してスレッドモータ部４７に供給し、レーザ光の照射位置がトラッキング制御範囲を超えないように、このスレッドモータ部４７によって光ピックアップ部４３をミニディスク２００の径方向に移動させる。
【００２３】
デコーダ部４８では、ウォーブル信号ＲＢの帯域制限を行ってウォーブル成分を取り出すとともに二値化して、さらに復調処理を行いアドレス情報信号Ｄadを生成して動作制御手段を構成するミニディスク制御部６０に供給する。なお動作制御手段は、ミニディスク制御部６０とシステム制御部９０で構成されている。また、得られたアドレス情報信号Ｄadの同期パターンを検出して、ミニディスク２００の回転速度が所望の速度となるようにディスク駆動信号ＳSPaを生成してスピンドルモータ部４１に供給し、ミニディスク２００の回転速度を制御する。また、後述する信号処理部５０によって読出データ信号ＲＥmから検出したフレーム同期信号に基づき、ミニディスク２００の回転速度が所望の速度となるようにディスク駆動信号ＳSPbが生成されてスピンドルモータ部４１に供給されるため、ウォーブルが形成されていない再生専用のミニディスクでも、所望の速度でミニディスク２００を回転させることができる。
【００２４】
信号処理部５０では、ＲＦアンプ部４４から供給された読出データ信号ＲＥmに対して、ＥＦＭ(Eight to Fourteen Modulation)のデコード処理や、ＣＩＲＣ(Cross Interleaved Reed Solomon Code)のデコード処理を行う。このデコード処理を行って得られた圧縮データ信号ＲＤは、メモリコントローラ５１を介して耐震用メモリ５２に供給される。耐震用メモリ５２は、書き換え可能な例えばダイナミックＲＡＭ等を用いて構成し、供給された圧縮データ信号ＲＤを一時保持する。また、耐震用メモリ５２でのデータ信号の書き込み位置や読み出し位置は、メモリコントローラ５１で管理する。
【００２５】
さらに、信号処理部５０では、上述したようにディスク駆動信号ＳSPbを生成してスピンドルモータ部４１に供給するとともに、読出データ信号ＲＥmに基づいて得られたＴＯＣ情報等をワークメモリ６１に供給する。
【００２６】
耐震用メモリ５２に保持されている圧縮データ信号ＲＤは、メモリコントローラ５１によって順次読み出されて圧縮伸長処理部５３に供給される。圧縮伸長処理部５３では、ＡＴＲＡＣ(Adaptive Transform Acoustic Coding)やＡＴＲＡＣ３のデコード処理を行って圧縮データ信号を復号化する。このデコード処理によって得られたデータ信号は再生データ信号ＤＲmとして信号選択／変換処理部８０に供給される。また再生データ信号ＤＲmはＤ／Ａ変換部５４でアナログの音声出力信号ＳＡmに変換されて信号選択／変換処理部８０に供給される。
【００２７】
また、信号選択／変換処理部８０からミニディスクブロック４０に供給されたアナログの音声記録信号ＳＷmは、Ａ／Ｄ変換器５５よってディジタルの音声データ信号に変換されて圧縮伸長処理部５３に供給される。また、圧縮伸長処理部５３には、信号選択／変換処理部８０からディジタルの音声データ信号ＤＷmが供給される。
【００２８】
圧縮伸長処理部５３では、Ａ／Ｄ変換器５５から供給された音声データ信号や信号選択／変換処理部８０から供給された音声データ信号ＤＷmに対して、ＡＴＲＡＣやＡＴＲＡＣ３のエンコード処理を行い、音声データ信号を符号化する。このエンコード処理によって得られたデータ信号は圧縮データ信号ＷＤとしてメモリコントローラ５１に供給される。
【００２９】
メモリコントローラ５１では、圧縮伸長処理部５３から供給された圧縮データ信号ＷＤを耐震用メモリ５２に順次記憶させる。また耐震用メモリ５２に一時保持された圧縮データ信号ＷＤを読み出して信号処理部５０に供給する。
【００３０】
信号処理部５０では、メモリコントローラ５１から供給された圧縮データ信号ＷＤに対してＣＩＲＣのエンコード処理やＥＦＭのエンコード処理を行う。このエンコード処理を行って得られた信号は、記録データ信号ＷＳとして記録アンプ５８に供給される。
【００３１】
記録アンプ５８では、供給された記録データ信号ＷＳを増幅して記録用の磁気ヘッド部４２に供給し、記録データ信号ＷＳに応じた磁界を磁気ヘッド部４２で発生させる。また、このとき、サーボ制御部４５からのレーザ制御信号ＣＰによって光ピックアップ部４３から所定のパワーのレーザ光がミニディスク２００に照射されて、ミニディスク２００には、磁気ヘッド部４２で発生された磁界に応じたマークが形成されて信号の記録が行われる。
【００３２】
また、ミニディスク２００のリードイン領域やユーザＴＯＣ領域に記録されている種々の情報が読み出されたときには、この読み出された情報が、上述したように信号処理部５０からミニディスク制御部６０に情報信号ＪＴmとして供給される。
【００３３】
ミニディスク制御部６０は、マイクロコンピュータを用いて構成されており、このミニディスク制御部６０には、後述するシステム制御部９０からのミニディスク制御信号ＭＣmやデコーダ部４８からのアドレス情報信号Ｄad、及び情報信号ＪＴmで示された情報等に基づき制御信号ＣＴmを生成して、この制御信号ＣＴmによってサーボ制御部４５や信号処理部５０等の動作を制御する。また、ミニディスク２００に記録した信号の記録位置情報や記録された信号に関する情報等を読み出してワークメモリ６１に保持させるとともに、この保持されている情報の変更及び変更された情報をミニディスクに記録する処理等の動作も制御する。さらにミニディスク制御部６０では、楽曲の記録とともに変更されるワークメモリ６１の情報に基づき、ミニディスク２００の記録可能時間等を示す情報信号ＫＤmを生成してシステム制御部９０に供給する。
【００３４】
信号選択／変換処理部８０には、コンパクトディスクブロック２０やミニディスクブロック４０及びチューナ部８１やテープデッキ部８２及び信号入出力部８３が接続されており、コンパクトディスクブロック２０からの再生データ信号ＤＲcや音声出力信号ＳＡc、ミニディスクブロック４０からの再生データ信号ＤＲmや音声出力信号ＳＡm、チューナ部８１で放送波を受信して得られた受信音声信号Ｓtu、テープデッキ部８２で磁気テープを再生して得られたテープ再生信号Ｓtp、信号入出力部８３に入力された入力信号Ｓinのいずれかの信号を選択して出力調整部８４に供給する。なお、選択した信号がディジタル信号であるときにはアナログ信号に変換して出力調整部８４に供給する。
【００３５】
また、いずれかの再生データ信号や再生信号あるいは音声出力信号を選択して、ミニディスクブロック４０あるいはテープデッキ部８２に供給することにより、ミニディスク２００あるいは磁気テープに所望の信号を記録できる。この信号選択／変換処理部８０での信号選択動作や信号変換動作はシステム制御部９０から供給された制御信号ＣＳに基づいて行う。
【００３６】
出力調整部８４では、信号選択／変換処理部８０で選択された信号の信号レベルをシステム制御部９０からの調整信号ＶＲに基づいて調整し、音声出力信号Ｓoutとしてスピーカ等の音声出力部８５に供給する。なお、出力調整部では音質の調整等も行う。
【００３７】
システム制御部９０には、コンパクトディスクブロック２０、ミニディスクブロック４０、チューナ部８１、テープデッキ部８２の動作の切り換えや音声出力部８５から出力される音声の調整等を行うための動作設定手段である操作部９１が接続されており、この操作部９１の操作に応じて生成された操作信号ＰＳに基づき、システム制御部９０ではコンパクトディスク再生制御信号ＭＣcを生成してＣＤ制御部３５に供給するとともに、ミニディスク制御信号ＭＣmを生成してミニディスク制御部６０等に供給して、各部の動作を制御する。また、各装置の動作状態等を表示するための表示信号ＰＲを生成して表示部９２に供給し、各装置の動作状態を表示部９２に表示させる。さらに、ＣＤ制御部３５やミニディスク制御部６０等から供給された信号を利用して、信号選択／変換処理部８０を制御信号ＣＳによって制御することにより、コンパクトディスクブロック２０とミニディスクブロック４０間でのコピー処理等も行う。
【００３８】
図２は、ミニディスクブロック４０で用いるミニディスク２００の構成を示すものであり、ミニディスク２００の中央には、ディスクを保持するためのクランピングプレート２００aが設けられている。ミニディスク２００のレーザ光照射面側の最内周にはリードイン領域２００bが形成されており、記録再生可能なディスクでは、記録時のレーザ光の出力や、後述するユーザＴＯＣ領域及びプログラム領域のアドレスなどのＴＯＣ(Table of Contents)情報が記録される。リードイン領域２００bの外周側には、ユーザＴＯＣ領域２００cが形成されており、このユーザＴＯＣ領域２００cには、ミニディスクのタイトルやプログラム領域２００dにトラック（曲番）単位で記録された楽曲に関する情報、トラック毎の信号記録位置等を示す情報、記録された楽曲をトラック単位でグループ化するためのグループ管理情報等が付加情報として記録可能とされている。
【００３９】
ユーザＴＯＣ領域２００cの外周側にはプログラム領域２００dが形成されて、このプログラム領域２００dに楽曲の信号が記録される。さらに、プログラム領域２００dの外周側にはリードアウト領域２００eが形成される。なお、再生専用のミニディスクでは、リードイン領域の外周側にプログラム領域が設けられる。
【００４０】
ここで、ユーザＴＯＣ領域２００cのセクタ０には、ミニディスクのトラック毎のスタートアドレスとエンドアドレス、このトラックの信号が連続した領域に記録されていなくとも次の信号記録位置を判別して連続再生を可能とするリンク情報がトラック番号毎に記録される。また、ミニディスクの空き領域のアドレス情報も記録される。このため、選択されたトラック番号のスタートアドレスとエンドアドレスに基づいて、この選択されたトラック番号の楽曲を再生することが可能となる。また、空き領域のアドレス情報を利用して、新たな楽曲を空き領域に記録することができる。さらに、セクタ０の情報を書き換えて、トラック番号とスタートアドレスやエンドアドレスの関係を変更することで、プログラム領域２００dに記録されている楽曲の信号記録位置を変更しなくとも、楽曲の分離や結合，削除，移動の編集処理を行うことができる。
【００４１】
セクタ１及び／又はセクタ４（以下単に「セクタ１」という）は、ディスクネーム領域とトラックネーム領域を有しており、ディスクネーム領域にはディスクのタイトルとともにグループ管理情報も記録される。また、トラックネーム領域には、記録した楽曲のタイトルや演奏者名等がトラック番号に関係付けで記録される。さらに、セクタ２には、各楽曲の記録日時が記録される。
【００４２】
グループ管理情報は、記録されている楽曲の選択を容易とするために、記録された楽曲をグループ分けするための情報であり、このグループ管理情報を利用することで、グループ管理機能を働かせる例えば記録された楽曲をグループ単位で再生可能とする。このグループ分けは、楽曲の選択が容易となるようにユーザーが行うものであるとともに、グループ管理情報は、グループ名とグループに含まれる楽曲を示す情報から構成される。
【００４３】
図３は、楽曲とグループ管理情報との関係を説明するための図である。ここで、ミニディスクのタイトルが「ＤＮｓ」とされており、図３Ａに示すように、楽曲名「Ｈ１」〜「Ｈ１２」の楽曲がトラック番号「１」〜「１２」として記録されている場合、グループ化を行っていないときのセクタ１の情報は、図３Ｂに示すようにディスクネーム領域にディスクのタイトル「ＤＮｓ」が記録されるとともに、トラックネーム領域には、楽曲名「Ｈ１」〜「Ｈ１２」がトラック番号に関連付けて記録される。
【００４４】
ここで、グループ管理情報では、１つのグループは連続したトラック番号で構成されるとともに、グループ内のトラック番号は必ず増加するものとされている場合には、図３Ａに示すように、トラック番号「１」〜「４」をグループ化してグループ名「ＧＮａ」とし、トラック番号「５」〜「９」をグループ化してグループ名「ＧＮｂ」とする。さらに、トラック番号「１０」〜「１２」をグループ化してグループ名「ＧＮｃ」とする。このような場合、図３Ｃに示すように、このグループ名とトラック番号の関係を示すグループ管理情報がディスクネーム領域に記録される。
【００４５】
ところで、コンパクトディスクに記録された楽曲をミニディスクにダビングする場合、自動的にディスク単位でグループ化を行うものとすると、例えば１曲だけをダビングする場合に１つの楽曲が１つのグループとされてしまう。このため、操作部９１で再グループ化操作が行われたときには、楽曲が１つであるグループやグループ化されていない楽曲を１つのグループとする再グループ化編集処理を行う。
【００４６】
図４は、再グループ化編集処理を示すフローチャートである。操作部９１から再グループ化編集処理を開始する操作信号ＰＳが開始されると、システム制御部９０とミニディスク制御部６０では、再グループ化編集処理を開始する。
【００４７】
ステップＳＴ１では、表示部９２に表示信号ＰＲを供給して、再グループ化編集処理が行われていることを示す編集動作表示を行ってステップＳＴ２に進む。
【００４８】
ステップＳＴ２では、ユーザＴＯＣ領域２００cに記録されている情報を読み出して、あるいは既にユーザＴＯＣ領域２００cから読み出されて保持されている情報を用いて、記録されている楽曲とグループの関係を判別してステップＳＴ３に進む。
【００４９】
ステップＳＴ３では、グループ管理情報に基づき、曲数が１つであるグループを複数有しているか否かを判別する。ここで、曲数が１つのグループが複数設けられているときにはステップＳＴ４に進み、曲数が１つのグループが無いときにはステップＳＴ７に進む。
【００５０】
ステップＳＴ４では、曲数が１つであるグループをまとめるための集合用グループが設けられているか否かを判別する。ここで集合用グループが設けられていないときにはステップＳＴ５に進み、集合用グループが設けられているときにはステップＳＴ６に進む。
【００５１】
ステップＳＴ５では、集合用グループの設定を行う。この集合用グループの設定では、例えば、曲数が１つである最初のグループを集合用グループに設定する。このように、曲数が１つである最初のグループを集合用グループとして設定すれば、集合用グループを自動的に設定することができるので、再グループ化編集処理中に集合用グループの設定操作等を行う必要がなく再グループ化編集処理を自動化できる。また、集合用グループの設定では、所望のグループを集合用グループとして設定したり、新たに集合用グループを設けるものとしても良い。この場合、ユーザは各楽曲をいずれのグループにまとめるか設定できる。さらに、集合用グループに対して集合用グループであることを判別可能とする名称を設定すれば、その後、コンパクトディスク１００を交換しながら１つの楽曲を順次ダイビングしたときに、このダビング曲を集合用グループに順次追加することができる。また、ミニディスク２００を交換しても、集合用グループであることを判別可能とする名称のグループに順次追加することで、集合用グループをミニディスク２００毎に設定する必要がなくなる。
【００５２】
ステップＳＴ６では、１グループ化処理を行う。この１グループ化処理では、ユーザＴＯＣ領域２００cの付加情報の変更を行い、曲数が１つのグループに含まれている楽曲を集合用グループの楽曲として１グループ化する。さらに変更後の情報をユーザＴＯＣ領域２００cに書き戻すことで付加情報の更新を行う。
【００５３】
ステップＳＴ７では、トラック番号とグループ管理情報に基づき、グループ化されていない楽曲が有るか否かを判別して、グループ化されていない楽曲を検出したときにはステップＳＴ８に進み、グループ化されていない楽曲を検出できないときにはステップＳＴ１１に進む。
【００５４】
ステップＳＴ８では、ステップＳＴ４と同様にユーザＴＯＣ領域２００cの情報から、集合用グループが設けられているか否かを判別する。ここで集合用グループが設けられていないときにはステップＳＴ９に進み、ステップＳＴ５と同様にして集合用グループを設定したのちステップＳＴ１０に進む。また、集合用グループが設けられているときにはステップＳＴ８からステップＳＴ１０に進む。
【００５５】
ステップＳＴ１０では、ステップＳＴ６と同様に、１グループ化処理を行い、グループに含まれていない楽曲を集合用グループに１グループ化して付加情報の更新を行う。
【００５６】
ステップＳＴ１１では、表示切り替えを行い、再グループ化編集処理が行われていることを示す表示を終了させて再グループ化編集処理を終了する。
【００５７】
図５は、再グループ化編集処理を説明するための図であり、再グループ化編集処理前後のグループ化状態を示している。図５Ａに示すように、楽曲「Ｈa」「Ｈb」「Ｈh」「Ｈj」がそれぞれ１つのグループ「ＧＮg」「ＧＮh」「ＧＮm」「ＧＮr」とされており、楽曲「Ｈc，Ｈd，Ｈe，Ｈf，Ｈg」が１つのグループ「ＧＮk」とされている場合、上述の再グループ化編集処理を行うものとすると、例えば図５Ｂに示すように最初の楽曲「Ｈa」のグループ「ＧＮg」が集合用グループとされて、この集合グループに楽曲「Ｈb」「Ｈh」「Ｈj」を移動することにより１グループ化が行われる。ここで、楽曲「Ｈb」「Ｈh」「Ｈj」を集合グループに移動する際には、１グループ化する楽曲「Ｈa」「Ｈb」「Ｈh」「Ｈj」のトラック番号が連続するようにユーザＴＯＣ領域２００cにおけるセクタ０の情報の変更を行う。すなわち、楽曲「Ｈh」のスタートアドレスとエンドアドレスが設定されていたトラックを、トラック番号「８」からトラック番号「３」に変更する。また楽曲「Ｈj」のスタートアドレスとエンドアドレスが設定されていたトラックを、トラック番号「９」からトラック番号「４」に変更する。また、楽曲「Ｈh」「Ｈj」の移動に伴い、楽曲「Ｈc，Ｈd，Ｈe，Ｈf，Ｈg」のスタートアドレスとエンドアドレスが設定されていたトラックを、トラック番号「３，４，５，６，７」からトラック番号「５，６，７，８，９」に変更する。また、ユーザＴＯＣ領域２００cにおけるセクタ１等に設けられているグループ管理情報は、楽曲「Ｈa」「Ｈb」「Ｈh」「Ｈj」の１グループ化に伴い、図５Ｃに示すように変更する。すなわち、グループ「ＧＮg」はトラック番号１で構成される状態からトラック番号１〜４で構成される状態に変更する。また、グループ「ＧＮk」はトラック番号３〜７で構成される状態からトラック番号５〜９で構成される状態に変更する。さらに、グループ「ＧＮh」「ＧＮm」「ＧＮr」の情報は削除する。
【００５８】
図５Ｄ〜図５Ｆは、グループ化されていない楽曲「Ｈk」が設けられている場合を示している。図５Ｄに示すようにトラック番号９の楽曲「Ｈk」が設けられているとともに、楽曲「Ｈa」「Ｈb」「Ｈh」「Ｈp」がそれぞれ１つのグループ「ＧＮg」「ＧＮh」「ＧＮm」「ＧＮs」とされており、楽曲「Ｈc，Ｈd，Ｈe，Ｈf，Ｈg」が１つのグループ「ＧＮk」とされている場合、上述の再グループ化編集処理を行うものとすると、例えば図５Ｅに示すように最初の楽曲「Ｈa」のグループ「ＧＮg」が集合用グループとされて、この集合グループに楽曲「Ｈb」「Ｈh」「Ｈp」を移動することにより１グループ化が行われ、その後、グループ化されていない楽曲「Ｈk」が集合用グループに１グループ化される。
【００５９】
ここで、楽曲「Ｈb」「Ｈh」「Ｈp」および楽曲「Ｈk」を集合グループに移動する際には、１グループ化する楽曲「Ｈa」「Ｈb」「Ｈh」「Ｈp」「Ｈk」のトラック番号が連続するようにユーザＴＯＣ領域２００cにおけるセクタ０の情報の変更を行う。すなわち、楽曲「Ｈh」のスタートアドレスとエンドアドレスが設定されていたトラックは、トラック番号「８」を再グループ化編集処理後にはトラック番号「３」とする。同様に、楽曲「Ｈp」のスタートアドレスとエンドアドレスが設定されていたトラックは、トラック番号「１０」をトラック番号「４」とする。さらに、楽曲「Ｈk」のスタートアドレスとエンドアドレスが設定されていたトラックは、トラック番号「９」をトラック番号「５」とする。
【００６０】
また、楽曲「Ｈh」「Ｈk」「Ｈp」の移動に伴い、楽曲「Ｈc，Ｈd，Ｈe，Ｈf，Ｈg」のスタートアドレスとエンドアドレスが設定されていたトラックは、トラック番号「３，４，５，６，７」を再グループ化編集処理後にはトラック番号「６，７，８，９，１０」とする。また、ユーザＴＯＣ領域２００cにおけるセクタ１等に設けられているグループ管理情報は、楽曲「Ｈa」「Ｈb」「Ｈh」「Ｈp」および楽曲「Ｈk」の１グループ化に伴い、図５Ｆに示すように変更する。すなわち、グループ「ＧＮg」はトラック番号１で構成される状態からトラック番号１〜５で構成される状態に変更する。また、グループ「ＧＮk」はトラック番号３〜７で構成される状態からトラック番号６〜１０で構成される状態に変更する。さらに、グループ「ＧＮh」「ＧＮm」「ＧＮs」の情報は削除する。
【００６１】
このように、曲数が１つのグループの楽曲やグループ化されていない楽曲を１つのグループにまとめることができるので、コンパクトディスクを順次交換しながら、コンパクトディスクに記録されている楽曲の１曲だけをダビングしても、再グループ化処理を行うことによりグループ機能を有効に活用できる。
【００６２】
なお、上述の再グループ化編集処理では、曲数が１つであるグループの楽曲と、グループ化されていない楽曲を集合用グループに移動するものとしたが、ステップＳＴ３からステップＳＴ６までの処理と、ステップＳＴ７からステップＳＴ１０までの処理を選択可能として、曲数が１つであるグループの楽曲のみを集合用グループに移動することで１グループ化したり、グループ化されていない楽曲のみを集合用グループに移動することで１グループ化しても良い。
【００６３】
また、上述の実施の形態では、信号記録再生装置としてステレオ装置の場合について説明したが、信号記録再生装置は、ミニディスクを用いて信号の記録再生を行うミニディスク装置であっても良い。さらに、信号再生媒体や信号記録再生媒体はコンパクトディスクやミニディスクに限られるものでなく、書き換え可能な光ディスク等であっても良い。さらに、ダビングするコンテンツもオーディオコンテンツに限られるものではなく、ビデオコンテンツ等であっても良いことは勿論である。
【００６４】
【発明の効果】
この発明によれば、動作設定手段によって所定の動作設定がなされたとき、記録媒体から読み出した付加情報に基づき、トラック数が一つであるグループを複数検出した場合、付加情報に対してこれらのトラックを、検出された複数グループのうち１グループを集合用グループとしてそこに移動する変更を行い、この結果トラック数が０となったグループの情報を削除し、集合用グループに移動する変更後にグループ化されていないトラックを検出した場合、このトラックを集合用グループに移動する変更を行い、記録再生手段を制御して、変更後の付加情報が記録媒体に書き戻される。このため、コンテンツ信号を記録する際に、トラック数が一つであるグループやグループ化されていないトラックが設けられても、動作設定手段によって所定の動作設定を行うことで、これらのトラックを１グループとすることができるので、グループ機能を有効に活用できる。
【図面の簡単な説明】
【図１】ステレオ装置の構成を示す図である。
【図２】ミニディスクの領域構成を示す図である。
【図３】楽曲のグループ化とグループ管理情報を説明するための図である。
【図４】再グループ化編集処理を示すフローチャートである。
【図５】再グループ化編集処理前後のグループ状態を示す図である。
【符号の説明】
２１，４１  スピンドルモータ部
２３，４３  光ピックアップ部
２４，４４  ＲＦアンプ部
２５，４５  サーボ制御部
２６，４６  ドライバ
２７，４７  スレッドモータ部
３０，５０  信号処理部
３１，５４  Ｄ／Ａ変換部
３３  ディスク切換部
３５  ＣＤ制御部
４２  磁気ヘッド部
４８  デコーダ部
５１  メモリコントローラ
５２  耐震用メモリ
５３  圧縮伸長処理部
５５  Ａ／Ｄ変換器
５８  記録アンプ
６０  ミニディスク制御部
６１  ワークメモリ
８０  信号選択／変換処理部
９０  システム制御部
９１  操作部
９２  表示部
１００  コンパクトディスク
２００  ミニディスク
【図１】
0003994765.tif 000002
【図２】
0003994765.tif 000003
【図３】
0003994765.tif 000004
【図４】
0003994765.tif 000005
【図５】
0003994765.tif 000006